(57)【特許請求の範囲】
【請求項１】
プロジェクタにより映像を投影される浴室用壁パネルであって、
最外層に備えるシートには、少なくとも映像が投影される部分に、艶消し用の微細エンボス加工が施してあり、
この最外層のシートは、ポリエステル系材料から成り、鋼板の表面にラミネートされており、
この鋼板の裏面にはエポキシ樹脂が塗装されており、
この鋼板の裏面は、エポキシ樹脂を介して壁面に接合されることを特徴とする浴室用壁パネル。
【請求項２】
微細エンボス加工は、光沢度を１６％以下に抑えるものであることを特徴とする請求項１に記載の浴室用壁パネル。
【請求項３】
最外層のシートの下層に、柄付け印刷が施してあることを特徴とする請求項１又は２に記載の浴室用壁パネル。
【発明の詳細な説明】
【技術分野】
【０００１】
本発明は浴室用壁パネルに関し、詳しくは、プロジェクタの映像を壁パネルに対してシャープに映すための技術に関する。
【背景技術】
【０００２】
従来の浴室用壁パネルにおいては、柄を印刷した樹脂フィルムを最外層のシートとして用い、このシートを鋼板にラミネートさせたものが一般的である。上記構成の浴室用壁パネルは、当然ながらその壁柄が一定であり、ユーザが壁柄を変更したいと考えた場合には、浴室を一旦解体する必要がある。つまり、容易には壁柄を変更することができないという問題があった。
【０００３】
上記問題を解決するには、映像を投影するためのプロジェクタを用い、該プロジェクタから投影される壁柄の映像を浴室用壁パネルに映すことが考えられる。例えば特許文献１には、このようにプロジェクタの映像を浴室壁パネルに映す際に、パネル表面の曇りや水滴等が映りに悪影響を及ぼさないように、浴室壁パネルに振動発生装置やヒータを備えることが提案されている。
【０００４】
しかし、上記のように曇りや水滴を防止した場合であっても、浴室用壁パネルはその表面の鏡面性が高い（光沢度が大きい）ため、投影された壁柄はパネル表面に薄く映ることになる。したがって、パネル表面に細かい色調の変化を表現しにくいという問題があった。
【特許文献１】特開２００２−２９５０３１号公報
【発明の開示】
【発明が解決しようとする課題】
【０００５】
本発明は上記問題点に鑑みて発明したものであって、プロジェクタの映像を壁パネルに対してシャープに映すことのできる浴室用壁パネルを提供することを課題とするものである。
【課題を解決するための手段】
【０００６】
上記課題を解決するために本発明を、プロジェクタ１により映像を投影される浴室用壁パネルであって、最外層に備えるシート２には、少なくとも映像が投影される部分に、艶消し用の微細エンボス加工が施してあり、この最外層のシート２は、ポリエステル系材料から成り、鋼板３の表面にラミネートされており、この鋼板３の裏面にはエポキシ樹脂４が塗装されており、この鋼板３の裏面は、エポキシ樹脂４を介して壁面に接合されるものとする。このようにすることで、パネル表面の映像が投影される部分の光沢度を小さくし、映像が薄く写ることを防止することができる。したがって、細かい色調の変化であっても鮮やかに表現することが可能となる。また、微細エンボス加工が施してある最外層のシート２が、ポリエステル系材料から成ることで、シート２表面に汚染物質が付着した際には該汚染物質を除去しやすくなり、汚染物質の付着を防止して映像を更にシャープに映すことが可能になる。加えて、シート２は耐薬品性を有するものになり、浴室掃除に使用する洗剤等の薬品が付着してもこれによりシート２が侵されることが防止される。
【０００７】
微細エンボス加工は、光沢度を１６％以下に抑えるものであることが好適である。このようにすることで、映像が薄く映ってしまうという事態が効果的に防止される。
【０００９】
また、最外層のシート２の下層に、柄付け印刷が施してあることも好適である。このようにすることで、下層に印刷してある柄をベースとしてこの上にプロジェクタ１からの映像を重ねて表現することができる。
【発明の効果】
【００１０】
請求項１に係る発明は、プロジェクタの映像を壁パネルに対してシャープに映すことができ、細かい色調の変化であっても鮮やかに表現することが可能になり、また、シートに汚染物質が付着することを防止して映像を更にシャープに映すことが可能になるとともに、浴室掃除に使用する洗剤等の薬品が付着してもこれによりシートが侵されることが防止されるという効果を奏する。
【００１１】
また請求項２に係る発明は、請求項１に係る発明の効果に加えて、映像が薄く映ってしまうという事態が効果的に防止されるという効果を奏する。
【００１３】
また請求項３に係る発明は、請求項１又は２に係る発明の効果に加えて、下層に印刷してある柄にプロジェクタからの映像を重ねて表現することができるという効果を奏する。
【発明を実施するための最良の形態】
【００１４】
以下、本発明を添付図面に示す実施形態に基づいて説明する。図１には本発明の実施形態における一例の浴室用壁パネルの断面を示し、図２には一例の浴室用壁パネルにプロジェクタ１からの映像を映した様子を示している。このプロジェクタ１はＰＣ（図示せず）に接続させてある。
【００１５】
本例の浴室用壁パネルは、浴室空間を囲む壁パネルのうち少なくともプロジェクタ１により映像を投影される部分（以下「投影部分Ｓ」という。）を形成するものであって、図１の断面に示すように、外表面に微細なエンボス加工を施してあるフィルムを最外層のシート２として用い、この最外層のシート２を鋼板３にラミネートさせている。また、鋼板３の裏面にはエポキシ樹脂４の塗装が施してある。浴室用壁パネルの裏面にエポキシ樹脂４を施してあることで、施工の際に壁面に接合させやすいものとなる。
【００１６】
最外層のシート２はポリエステル系フィルムを用いて形成し、その外表面に施す微細エンボス加工は、エンボス深さｄが１２μｍでピッチｐが２４μｍとなるようにしている。このように、ポリエステル系フィルムに微細エンボス加工を施したことによって艶消しの効果が生じ、最外層のシート２はその光沢度が８％程度になっている。ここでの光沢度は、測定角６０°で測定したものである。
【００１７】
したがって、この最外層のシート２に対してプロジェクタ１からの壁柄の映像を投影させた場合には、投影部分Ｓの全体に壁柄の映像がシャープに映されることになり、細かい色調の変化についても鮮やかに表現することが可能となっている。なお、ここでは光沢度が８％となるように設定しているが、光沢度については１６％以下（好ましくは１２％以下）に抑えるものであれば構わない。また、エンボス形状についても、光沢度を上記範囲内に設定できるものであれば特に限定されない。
【００１８】
プロジェクタ１から投影される映像は、接続されるＰＣを操作して適宜変更することができる。したがって、ユーザが壁柄を変更したいと考えた場合には、浴室を一旦解体することなく、プロジェクタ１側で投影する映像を変更するだけで容易に壁柄を変更可能である。また、投影する映像も壁柄に限定されるわけではなく、プロジェクタ１を用いて写真の映像を投影することや、或いはプロジェクタ１にテレビチューナを接続することでテレビ放送の映像を投影することも可能である。いずれの場合であっても、投影部分Ｓは微細エンボス加工により光沢度が１６％以下に抑えられているので、細かい色調の変化までシャープに表現された映像となり、ユーザに満足感を与えることができる。
【００１９】
また、この微細エンボス加工を施す最外層のシート２をポリエステル系材料により形成し、ミクロ的には鏡面性を有するものにしていることで、シート２表面に汚染物質が付着した際には該汚染物質を除去しやすいものになっている。これにより汚染物質の付着を防止し、映像が更にシャープに映されることとなる。
【００２０】
つまり、本例の浴槽壁パネルは、微細エンボス加工によりマクロ的には艶消しを行って映像が薄く映ることを防止し、且つ、ミクロ的には鏡面性を有するものとして汚染物質の付着を防止したことで、より一層シャープな映写を実現したものである。
【００２１】
加えて、最外層のシート２をポリエステル系材料により形成してあることで該シート２は耐薬品性を有するものになっている。したがって、浴室掃除に使用する洗剤等の薬品がシート２に付着しても、この薬品によってシート２が侵されることが防止されている。
【００２２】
なお、最外層のシート２の下層である鋼板３には、柄付け印刷を施しておくことも好適である。これにより、透明又は半透明である最外層のシート２を介して鋼板３の柄を表面に映し、このシート２に対してプロジェクタ１からの映像を投影することで、鋼板３側に印刷してある柄をベースとしてこの上にプロジェクタ１の映像を重ねて表現することができる。
【図面の簡単な説明】
【００２３】
【図１】本発明の実施形態における一例の浴室用壁パネルの断面図である。
【図２】同上の浴室用壁パネルを用いて形成した浴室の斜視図である。
【符号の説明】
【００２４】
１  プロジェクタ
２  最外層のシート
３  鋼板
４  エポキシ樹脂
ｄ  エンボス深さ
ｐ  ピッチ
Ｓ  投影部分
【図１】
0005443681.tif 000002
【図２】
0005443681.tif 000003